(57)【要約】      （修正有）【課題】プロジェクターの設置姿勢（光源装置の姿勢）に対応させて適切な冷却が行える光源装置ユニットを提供する。【解決手段】光源装置ユニットは、光源と、冷却風を流出する第１流出口を有する流出口構成部とを備える光源装置と、第１流出口に連通して冷却風を導入する第１導入口１２０ａ〜１２０ｃを有する導入口構成部１２０と、第１導入口１２０ａ〜１２０ｃを選択的に開閉する開閉部５とを備える流路構成部１２と、を備え、第１導入口１２０ａ〜１２０ｃは、中心軸（固定軸１２１２）の周囲に並設され、開閉部５は、光源装置の姿勢に応じて固定軸１２１２を中心に回転して第１導入口１２０ａ〜１２０ｃを選択的に開閉する回転部材５０を備える。また、回転部材の冷却風が当たる面は、固定軸１２１２に対し、直交する形状または傾斜する形状を有して形成される。【選択図】図３
2017003800.tif 000002
【特許請求の範囲】
【請求項１】
発光管および前記発光管から射出された光束を反射するリフレクターを有する光源と、
前記光源を収容すると共に前記発光管に向けて冷却風を流出する複数の第１流出口を有す
る流出口構成部とを備える光源装置と、
前記複数の第１流出口に連通して冷却風を導入する複数の第１導入口を有する導入口構
成部と、前記複数の第１導入口を選択的に開閉する開閉部とを備える流路構成部と、を備
え、
前記複数の第１導入口は、所定の中心軸の周囲に並設され、
前記開閉部は、前記光源装置の姿勢に応じて前記中心軸を中心に回転することによって
前記複数の第１導入口を選択的に開閉する回転部材を備えることを特徴とする光源装置ユ
ニット。
【請求項２】
請求項１に記載の光源装置ユニットであって、
前記回転部材は、自重によって回転することにより前記複数の第１導入口を選択的に開
閉することを特徴とする光源装置ユニット。
【請求項３】
請求項１または請求項２に記載の光源装置ユニットであって、
前記回転部材は、前記中心軸と、前記中心軸を中心とする円弧の両端とを結んだ形状に
形成されることを特徴とする光源装置ユニット。
【請求項４】
請求項１〜請求項３のいずれか一項に記載の光源装置ユニットであって、
前記回転部材の前記冷却風が当たる面は、前記中心軸に対して直交する形状、または、
前記中心軸に対して傾斜する形状を有して形成されていることを特徴とする光源装置ユニ
ット。
【請求項５】
請求項１〜請求項４のいずれか一項に記載の光源装置ユニットであって、
前記流路構成部は、前記回転部材に対する前記冷却風の流路前段側で、前記中心軸に略
直交する方向に前記冷却風が導入される第２導入口を備え、
前記光源装置の前記流出口構成部には、前記第２導入口と連通する第２流出口が備えら
れていることを特徴とする光源装置ユニット。
【請求項６】
請求項１〜請求項５のいずれか一項に記載の光源装置ユニットと、
前記光源装置ユニットの前記光源装置を着脱自在に収容する光源装置収容部、および前
記光源装置ユニットの前記導入口構成部を固定する導入口固定部を有し、前記光源装置を
前記光源装置収容部に装着した場合、前記複数の第１流出口に前記複数の第１導入口をそ
れぞれ連通させるカートリッジケースと、
を備えることを特徴とする光源カートリッジ。
【請求項７】
請求項６に記載の光源カートリッジであって、
前記カートリッジケースには、複数の前記光源装置が装着されると共に、前記複数の光
源装置に対応してそれぞれ前記導入口構成部が設置されていることを特徴とする光源カー
トリッジ。
【請求項８】
請求項６または請求項７に記載の光源カートリッジであって、
前記開閉部を有さずに構成される流路構成部を備えることを特徴とする光源カートリッ
ジ。
【請求項９】
請求項６〜請求項８のいずれか一項に記載の光源カートリッジと、
前記光源カートリッジから射出された光束を画像情報に応じて変調する光変調装置と、
前記光変調装置で変調された光束を投写する投写光学装置と、
前記導入口構成部に冷却風を送出する冷却ファンと、を備えることを特徴とするプロジ
ェクター。
【請求項１０】
請求項９に記載のプロジェクターであって、
請求項６または請求項７に記載の光源カートリッジを第１光源カートリッジとして備え
、
請求項８に記載の光源カートリッジを第２光源カートリッジとして備え、
前記第１光源カートリッジと前記第２光源カートリッジとは、前記プロジェクターの本
体の設置姿勢に対応して、いずれか一方もしくは両方が用いられることを特徴とするプロ
ジェクター。
【発明の詳細な説明】
【技術分野】
【０００１】
本発明は、光源装置ユニット、光源カートリッジ、およびプロジェクターに関する。
【背景技術】
【０００２】
従来、光源から射出される光（射出光）を画像情報に応じて光変調装置で変調し、投写
光学装置で拡大投写するプロジェクターが知られている。近年では、プロジェクターがイ
ベント等に用いられることが多くなり、プロジェクターの高輝度化が一段と進んでいる。
なお、プロジェクターを高輝度化する場合、複数の光源（例えば、複数の放電型ランプ）
を用いる場合がある。また、投写する際のプロジェクターの設置姿勢は、近年、通常の設
置姿勢となる机上面設置や天吊り設置（または、それに類する設置）以外の設置姿勢で投
写することも行われている。
【０００３】
特許文献１では、発熱する光源（ランプ）を冷却するために、冷却風を導入する複数の
導入口が中心軸の周囲に並設され、光源装置の姿勢に応じて中心軸を中心に開閉装置が回
転することで、複数の導入口を選択的に開閉することが開示されている。この構成により
、適切な導入口に冷却風を導入することができ、光源装置の姿勢が変更された場合であっ
ても、光源を安定して冷却することができるとしている。
【先行技術文献】
【特許文献】
【０００４】
【特許文献１】特開２０１３−２４６１８３号公報
【発明の概要】
【発明が解決しようとする課題】
【０００５】
プロジェクターの光源として一般的に用いられる反射型の高圧水銀ランプは、発光管と
リフレクターとを有して構成されている。そして、発光管の温度はランプ寿命に大きく影
響し、また、プロジェクターの設置姿勢（光源の姿勢）により発光管の温度は大きく変化
する。例えば、上述した通常の設置姿勢とそれ以外の設置姿勢とでは発光管の温度は大き
く変化する。このため、プロジェクターの設置姿勢に対応させて光源の冷却を適切に行う
ことが課題となる。
従って、プロジェクターの設置姿勢（光源装置の姿勢）に対応させて適切な冷却が行え
る光源装置ユニットが要望されていた。また、光源装置ユニットを用いた光源カートリッ
ジおよび光源カートリッジを用いたプロジェクターが要望されていた。
【課題を解決するための手段】
【０００６】
本発明は、上述した課題の少なくとも一部を解決するためになされたものであり、以下
の形態または適用例として実現することが可能である。
【０００７】
［適用例１］本適用例に係る光源装置ユニットは、発光管および発光管から射出された
光束を反射するリフレクターを有する光源と、光源を収容すると共に発光管に向けて冷却
風を流出する複数の第１流出口を有する流出口構成部とを備える光源装置と、複数の第１
流出口に連通して冷却風を導入する複数の第１導入口を有する導入口構成部と、複数の第
１導入口を選択的に開閉する開閉部とを備える流路構成部と、を備え、複数の第１導入口
は、所定の中心軸の周囲に並設され、開閉部は、光源装置の姿勢に応じて中心軸を中心に
回転することによって複数の第１導入口を選択的に開閉する回転部材を備えることを特徴
とする。
【０００８】
このような光源装置ユニットにおいて、光源装置ユニットは、光源装置と流路構成部を
備えて構成される。光源装置は、発光管とリフレクターを有する光源と、光源を収容し、
第１流出口を有する流出口構成部を備えている。流路構成部は第１導入口を備える導入口
構成部と、第１導入口を選択的に開閉する開閉部を備えている。この構成により、冷却風
は、開閉部により開放された第１導入口から導入され、第１導入口に連通する第１流出口
から発光管に向けて流出される。これにより、冷却風を発光管に送風することができる。
また、開閉部は、光源装置の姿勢に対応して、中心軸を中心に回転することで、冷却風を
導入する第１導入口を選択（開放）するため、光源装置の姿勢に対応して開放される第１
導入口に冷却風を導入させ、第１流出口から流出させることができる。従って、この光源
装置ユニットにより、光源装置の姿勢に対応させて流路構成部の流路（第１導入口）を切
り替えることが可能となり、光源装置の姿勢に対応させて適切な冷却を行うことができる
。
【０００９】
［適用例２］上記適用例に係る光源装置ユニットにおいて、回転部材は、自重によって
回転することにより複数の第１導入口を選択的に開閉することが好ましい。
【００１０】
このような光源装置ユニットによれば、回転部材が自重によって回転することで、回転
部材を駆動する駆動部や、その駆動部を制御する制御部等を備える必要がなく、簡素な構
造で第１導入口を選択的に開閉することが可能となる。
【００１１】
［適用例３］上記適用例に係る光源装置ユニットにおいて、回転部材は、中心軸と、中
心軸を中心とする円弧の両端とを結んだ形状に形成さることが好ましい。
【００１２】
このような光源装置ユニットによれば、回転部材を上述する形状で構成することにより
、複数の導入口を選択的に開閉する構造を容易に構成することができる。
【００１３】
［適用例４］上記適用例に係る光源装置ユニットにおいて、回転部材の冷却風が当たる
面は、中心軸に対して直交する形状、または、中心軸に対して傾斜する形状を有して形成
されていることが好ましい。
【００１４】
このような光源装置ユニットによれば、回転部材の冷却風が当たる面が、中心軸に対し
て直交する形状、または、中心軸に対して傾斜する形状を有して構成されるため、回転部
材は、回転部材の後側の複数の第１導入口に対して選択的に第１導入口を開閉すること以
外に、開放される第１導入口に導入させる冷却風の量を調整することが可能となる。これ
は、例えば、回転部材の前側に第２導入口が設置される場合にも同様となる。この構成に
より、光源装置の姿勢に対応させて、更に適切な冷却、効率的な冷却を行うことが可能と
なる。
【００１５】
［適用例５］上記適用例に係る光源装置ユニットにおいて、流路構成部は、回転部材に
対する冷却風の流路前段側で、中心軸に略直交する方向に冷却風が導入される第２導入口
を備え、光源装置の流出口構成部には、第２導入口と連通する第２流出口が備えられてい
ることが好ましい。
【００１６】
このような光源装置ユニットによれば、回転部材の冷却風の流路後段側に設置される複
数の第１導入口に対して、回転部材の冷却風の流路前段側に第２導入口が備えられる。併
せて、流出口構成部には、この第２導入口と連通する第２流出口が備えられる。回転部材
に対する冷却風の流路前段側に備えるこの第２導入口により、後段側に備える複数の第１
導入口からでは冷却風を流動させにくい、例えば発光管の前側の部位（発光管の前側の溶
接部など）に冷却風を流動させやすくすることができる。また、この前段側の第２導入口
は、中心軸に略直交する方向に冷却風が導入される導入口を備えているため、例えば、中
心軸に略平行に冷却風が導入される導入口を備える構造に比べて、回転部材周辺の平面視
での面積を小さくすることができ、回転部材周辺を小型化することができる。
【００１７】
［適用例６］本適用例に係る光源カートリッジは、上述したいずれかの光源装置ユニッ
トと、光源装置ユニットの光源装置を着脱自在に収容する光源装置収容部、および光源装
置ユニットの導入口構成部を固定する導入口固定部を有し、光源装置を光源装置収容部に
装着した場合、複数の第１流出口に複数の第１導入口をそれぞれ連通させるカートリッジ
ケースと、を備えることを特徴とする。
【００１８】
このような光源カートリッジによれば、光源カートリッジは、光源装置ユニットとカー
トリッジケースとを備えて構成される。そして、例えば、光源装置を交換する場合、カー
トリッジケースをベースとして、古い光源装置を取り外して、新しい光源装置を装着する
ことで、光源装置の複数の第１流出口を、カートリッジケースに固定されている導入口構
成部の複数の第１導入口に簡単に連通させることができる。従って、光源カートリッジに
おける光源装置の交換を容易に行うことができる。
【００１９】
［適用例７］上記適用例に係る光源カートリッジにおいて、複数の光源装置が装着され
ると共に、複数の光源装置に対応してそれぞれ導入口構成部が設置されていることが好ま
しい。
【００２０】
このような光源カートリッジによれば、複数の光源装置が装着されることで、高輝度の
光源とすることができる。また、光源装置の交換の際に、複数の光源装置が装着される光
源カートリッジをプロジェクターから取り外した後、個々の光源装置を交換することがで
きるため、複数の光源装置ユニットがプロジェクターにそれぞれ装着される場合に比べて
、光源としての取り扱いが容易になる。
また、複数の光源装置に対応してそれぞれ導入口構成部が設置されることにより、光源
装置を交換することだけで導入口構成部と接続させることができるため、第１導入口と第
１流出口とを連通させることが必要なく、光源装置の交換性を向上させる。
また、複数の光源装置に対応してそれぞれ導入口構成部が設置されることにより、光源
装置の姿勢（光源カートリッジの姿勢）に対応させて、光源装置の冷却をそれぞれ適正に
行うことができる。
【００２１】
［適用例８］上記適用例に係る光源カートリッジにおいて、開閉部を有さずに構成され
る流路構成部を備えることが好ましい。
【００２２】
このような光源カートリッジによれば、開閉部を有さないため、第１導入口を選択的に
開閉することなく冷却風を第１導入口に導入することができることで、更に、光源装置の
姿勢に対応させることが可能となり、光源装置の冷却を適正に行うことができる。
【００２３】
［適用例９］本適用例に係るプロジェクターは、上述したいずれかの光源カートリッジ
と、光源カートリッジから射出された光束を画像情報に応じて変調する光変調装置と、光
変調装置で変調された光束を投写する投写光学装置と、導入口構成部に冷却風を送出する
冷却ファンと、を備えることを特徴とする。
【００２４】
このようなプロジェクターによれば、プロジェクターの設置姿勢に対応して光源装置を
適正に冷却できる光源カートリッジを備えるため、プロジェクターの設置姿勢による光源
装置の寿命を延ばし、光学特性も保持することができる。また、光源カートリッジをプロ
ジェクターから取り外すことで、光源装置の着脱も容易に行える。
【００２５】
［適用例１０］上記適用例に係るプロジェクターにおいて、上述した開閉部を有する流
路構成部を備えたいずれかの光源カートリッジを第１光源カートリッジとして備え、上述
した開閉部を有さない流路構成部を備えた光源カートリッジを第２光源カートリッジとし
て備え、第１光源カートリッジと第２光源カートリッジとは、プロジェクターの本体の設
置姿勢に対応して、いずれか一方もしくは両方が用いられることを特徴とする。
【００２６】
このようなプロジェクターによれば、開閉部を有する流路構成部を備えた第１光源カー
トリッジと、開閉部を有さない流路構成部を備えた第２光源カートリッジとを備えて構成
される。そして、プロジェクターの設置姿勢に対応させて、この２種類の光源カートリッ
ジ（第１光源カートリッジ、第２光源カートリッジ）を使い分ける。使用する際には、設
置姿勢に対応させて２種類の光源カートリッジのいずれか一方もしくは両方を用いる。こ
のように、開閉部の有無の違いによる２種類の光源カートリッジを備えることにより、プ
ロジェクターの設置姿勢に対応させることができ、光源装置を適正に冷却することができ
る。また、このような光源カートリッジにより、複数の光源装置を１つの光源カートリッ
ジに設置して用いることができる。従って、プロジェクターの高輝度化と設置姿勢の自由
度向上を図ることができる。
【図面の簡単な説明】
【００２７】
【図１】本実施形態のプロジェクターを用いて投写させる際のプロジェクターの設置姿勢を示す概略斜視図。
【図２】プロジェクターの光学ユニットを模式的に示す図。
【図３】流路構成部の分解図。
【図４】流路構成部を示す斜視図。
【図５】光源装置を示す斜視図。
【図６】光源装置ユニットを示す図。
【図７】流路構成部を示す斜視図。
【図８】光源カートリッジを示す斜視図。
【図９】開閉部を構成する回転部材の他の例を示す図。
【発明を実施するための形態】
【００２８】
以下、実施形態を図面に基づいて説明する。
【００２９】
〔実施形態〕
【００３０】
図１は、本実施形態のプロジェクター１を用いて投写させる際のプロジェクター１の設
置姿勢を示す概略斜視図であり、図１（ａ）は通常設置姿勢を示し、図１（ｂ）は側面設
置姿勢を示す。図１を参照して、プロジェクター１を用いて投写させる際の設置姿勢に関
して説明する。
【００３１】
本実施形態のプロジェクター１は、図示省略する光源装置から射出された光を、画像情
報に応じて光変調装置で変調し、投写光学装置３６を介してスクリーンＳＣ等に拡大投写
する。本実施形態のプロジェクター１は、図１（ａ）に示す通常設置姿勢と、図１（ｂ）
に示す側面設置姿勢との、２通りの設置姿勢で投写させる使用方法となっている。
【００３２】
プロジェクター１は、図１に示すように、概ね６面体の箱形状に形成されている。ここ
で、プロジェクター１が、図１（ａ）に示すように、通常設置姿勢で設置される場合を基
準として、プロジェクター１の外装筐体１Ａに対して、上面を１ａ、下面を１ｂ、左右面
を１ｃ，１ｄとし、投写光学装置３６が設置される前面を１ｅとし、後面を１ｆとする。
また、投写光学装置３６が投写する方向を前方向とする。
【００３３】
通常設置姿勢とは、本実施形態では、図１（ａ）に示すように、従来一般的に設置され
る設置姿勢であり、プロジェクター１の下面１ｂを下側にして、机上面Ｄに設置して投写
させる設置姿勢（いわゆる机上面設置姿勢）や、取付け治具を用いて、プロジェクター１
を天井面（図示省略）に設置し、投写させる設置姿勢（いわゆる天吊り設置姿勢）をいう
。また、本実施形態では、通常設置姿勢として、例えば、投写光軸Ｃ２（図２）または光
軸Ｃ１（図２）が机上面Ｄに並行となる状態を０°として上方向または下方向に傾斜させ
て投写する設置姿勢も含めている。具体的に、通常設置姿勢としての投写可能な傾斜角度
は、上方向、下方向でそれぞれ１８０°、言い換えると、３６０°の範囲となっている。
【００３４】
また、側面設置姿勢とは、通常設置姿勢に対して、図１（ｂ）に示すように、プロジェ
クター１を、投写光学装置３６から射出される光の投写光軸Ｃ２（図２）を中心として略
９０°回転させることで、プロジェクター１の例えば左面１ｃを机上面Ｄに設置して投写
させる設置姿勢をいう。また、本実施形態では、図１（ａ）に示すように、通常設置姿勢
で投写した場合には横長の画像（例えば、アスペクト比４：３の画像）として投写され、
図１（ｂ）に示すように、側面設置姿勢で投写した場合には、縦長の画像（例えば、アス
ペクト比４：３の画像が９０°回転した画像）として投写される。
【００３５】
プロジェクター１の上面１ａには、入力操作を行う各種キーが設置される入力操作部３
８や、ユーザーにプロジェクター１の動作状態や操作方法などの表示を行う表示部３９等
が設置されている。また、後面１ｆには、後述する光源カートリッジ２０，２１（図２）
を交換する際に着脱するカバー部材１Ｂが設置されている。また、右面１ｄには、図示省
略するが、外部機器から画像信号を入力するための各種端子が設置される入力端子部（図
示省略）が備えられている。
【００３６】
なお、外装筐体１Ａには、図示省略する外気を取り込むための吸気口、および外装筐体
１Ａ内部の温まった空気を外部に排気するための排気口等が設けられている。そして外装
筐体１Ａ内部に備わる吸気用のファン（図示省略）により吸気口を介して外気が吸気され
る。吸気された外気は、図示省略するダクトを流動して、高温となった冷却対象物に吹き
付けられることで冷却を行う。なお、冷却することにより温まった空気は、図示省略する
排気用のファンにより、排気口を介して外装筐体１Ａ外部に排気される。
【００３７】
図２は、プロジェクター１の光学ユニット３を模式的に示す図である。また、図２は、
プロジェクター１を通常設置姿勢で設置した状態において、プロジェクター１の上方から
見た状態の構成を概略示している。図２を参照して、プロジェクター１の光学ユニット３
の構成と動作を説明する。
【００３８】
光学ユニット３は、制御部（図示省略）による制御に基づいて動作し、画像情報に応じ
て画像光を形成するものである。光学ユニット３は、本実施形態では、図２に示すように
、光源１１０を有する光源装置１１を備えている。また、光源装置１１は光源カートリッ
ジ２０，２１に組み込まれて構成されている。なお、光源１１０は、発光管１１０１と、
発光管１１０１で発光して射出された光束を一定の方向に反射するリフレクター１１０２
とを備えている。
【００３９】
また、光学ユニット３は、レンズアレイ３２１，３２２、偏光変換素子３２３、重畳レ
ンズ３２４、および平行化レンズ３２５を有する照明光学装置３２を備えている。また、
光学ユニット３は、ダイクロイックミラー３３１，３３２、および反射ミラー３３３を有
する色分離光学装置３３を備えている。また、光学ユニット３は、入射側レンズ３４１、
リレーレンズ３４３、および反射ミラー３４２，３４４を有するリレー光学装置３４を備
えている。
【００４０】
また、光学ユニット３は、光変調装置としての３つの液晶パネル３５１（赤色光（Ｒ光
）用の液晶パネルを３５１Ｒ、緑色光（Ｇ光）用の液晶パネルを３５１Ｇ、青色光（Ｂ光
）用の液晶パネルを３５１Ｂとする）、３つの入射側偏光板３５２、３つの射出側偏光板
３５３、および色合成光学装置としてのクロスダイクロイックプリズム３５４を有する電
気光学装置３５を備えている。また、光学ユニット３は、投写光学装置３６と、各光学装
置３２〜３６を収容する光学部品用筐体（図示省略）とを備えている。
【００４１】
光学ユニット３は、上述した構成により、光源装置１１から射出されて照明光学装置３
２を介した光を、色分離光学装置３３でＲ光、Ｇ光、Ｂ光の３つの色光に分離する。また
、分離された各色光は、各液晶パネル３５１で画像情報に応じてそれぞれ変調され、色光
毎の変調光として形成される。色光毎の変調光は、クロスダイクロイックプリズム３５４
に入射して画像光として合成され、投写光学装置３６を介してスクリーンＳＣ（図１）等
に拡大投写される。なお、上述した各光学装置３２〜３６については、種々の一般的なプ
ロジェクターの光学系として利用されているため、具体的な説明を省略する。
【００４２】
以下では、説明の便宜上、投写光学装置３６から光束が射出される方向を＋Ｘ方向（前
側）、図２（通常設置姿勢）において、＋Ｘ方向に沿って見た場合の、Ｘ軸に水平に直交
する右方向を＋Ｙ方向（右側）、＋Ｘ方向および＋Ｙ方向に直交する上方向を＋Ｚ方向（
上側）として記載する。
【００４３】
本実施形態のプロジェクター１は、光源１１０を４つ用いる光学系として構成されてい
る。４つの光源１１０を用いることで、プロジェクター１の高輝度化を図っている。光源
１１０は、本実施形態では放電型のランプを用いており、詳細には、超高圧水銀ランプや
メタルハライドランプ等を用いている。また、４つの光源１１０は、各反射ミラー１５を
中心に左右方向に相対して２つずつ並んで設置されている。なお、４つの光源１１０が点
灯した場合、射出された光束は、各反射ミラー１５で反射され、反射して方向が整えられ
た光束は、照明光学装置３２に入射する。
【００４４】
なお、４つの光源１１０は、プロジェクター１の設置姿勢には関係なく、全て同じ仕様
となっている。光源１１０は、後述する流出口構成部１１１に収容されて１つの光源装置
１１を構成する。従って、本実施形態では、４つの光源装置１１を用いる構成となる。そ
して、４つの光源装置１１は、プロジェクター１の設置姿勢には関係なく、全て同じ仕様
となっている。
【００４５】
４つの光源装置１１のうち、Ｘ方向に沿って配置される２つの光源装置１１は、後述す
るカートリッジケースに収容されて、設置姿勢に対応する光源カートリッジを構成してい
る。本実施形態では、光源カートリッジに対して、通常設置姿勢に対応させる光源カート
リッジには符号２０を付記し、側面設置姿勢に対応させる光源カートリッジには符号２１
を付記する。従って、本実施形態では、通常設置姿勢用には光源カートリッジ２０を用い
、側面設置姿勢用には光源カートリッジ２１を用いている。
【００４６】
また、本実施形態では、図１（ａ）、図２に示すように、通常設置姿勢を基準とした場
合、光源カートリッジを左右方向に設置する構成となるため、例えば、通常設置姿勢用の
光源カートリッジ２０に対して、左右用の光源カートリッジ２０が構成されている。詳細
には、光源カートリッジ２０は、左用の光源カートリッジには符号２０ａを付記し、右用
の光源カートリッジには符号２０ｂを付記する。
【００４７】
従って、プロジェクター１を通常設置姿勢で使用する場合には、本実施形態では、通常
設置姿勢用の光源カートリッジ２０において、左用の光源カートリッジ２０ａを左側に、
また、右用の光源カートリッジ２０ｂを右側にそれぞれ設置することになる。そして、プ
ロジェクター１を通常設置姿勢（下面１ｂを机上面Ｄに設置する姿勢）とさせる。
【００４８】
同様に、プロジェクター１を側面設置姿勢で使用する場合には、本実施形態では、側面
設置姿勢用の光源カートリッジ２１において、左用の光源カートリッジ２１ａを左側に、
また、右用の光源カートリッジ２１ｂを右側にそれぞれ設置することになる。そして、プ
ロジェクター１を、図１（ｂ）に示すように、側面設置姿勢（左面１ｃを机上面Ｄに設置
する姿勢）とさせる。プロジェクター１を側面設置姿勢とした場合、左面１ｃが机上面Ｄ
に設置されるため、左用の光源カートリッジ２１ａは下側に設置され、右用の光源カート
リッジ２１ｂは上側に設置される状態となる。
【００４９】
なお、本実施形態では、例えば、左側に通常設置姿勢用の光源カートリッジ２０ａが設
置され、右側に側面設置姿勢用の光源カートリッジ２１ｂが設置される場合等、左右にそ
れぞれ異なる設置姿勢用の光源カートリッジ２０，２１が設置された場合には、プロジェ
クター１の設置姿勢に対応した光源カートリッジ２０，２１を選択して点灯させることが
できる。この場合、プロジェクター１の輝度は、２つの光源装置１１を用いることになる
ため半減する。
【００５０】
本実施形態では、外装筐体１Ａ内部には、光源カートリッジ２０，２１を収容するカー
トリッジ収容部（図示省略）が形成されている。このカートリッジ収容部には、冷却ファ
ン９が４つ設置されている。冷却ファン９は、カートリッジ収容部に光源カートリッジ２
０，２１が収容された場合、１つの光源装置１１に対して１つ対応するように設置されて
おり、発熱する光源装置１１の発光管１１０１をそれぞれ冷却する構成となっている。な
お、光源装置１１、光源カートリッジ２０に関しての詳細は後述する。
【００５１】
図３は、流路構成部１２の分解図であり、図３（ａ）は流路構成部１２に冷却風が導入
される側から見た分解図であり、図３（ｂ）は、図３（ａ）の反対方向から見た分解図で
ある。なお、図３（ａ）の流路構成部１２は、説明の便宜上、通常設置姿勢用の光源カー
トリッジ２０で、左用の光源カートリッジ２０ａに用いる光源装置ユニット１０に備える
流路構成部１２を取り上げている。
【００５２】
流路構成部１２の導入口構成部１２０は、第１構成部１２１、第２構成部１２２、およ
び第３構成部１２３で構成される。第１構成部１２１は、第１導入口１２０ａ，１２０ｂ
，１２０ｃ、および、第２導入口１２０ｄを形成し、開閉部５を回転自在に固定する部材
である。第１構成部１２１は、円筒状の本体１２１１と、この本体１２１１の中心軸上に
構成される固定軸１２１２と、固定軸１２１２の側面から放射状に３方向に延びて本体１
２１１の内周面に接続する３つの壁部１２１３により略３等分に仕切られる第１導入口１
２０ａ，１２０ｂ，１２０ｃとを備える。この壁部１２１３は、固定軸１２１２から−Ｚ
方向に延出する壁部１２１３を基準として、本実施形態では、略１２０°の間隔で仕切ら
れる。言い換えると、第１導入口１２０ａ，１２０ｂ，１２０ｃは、所定の中心軸として
の固定軸１２１２の周囲に並設される。
【００５３】
第１導入口１２０ａは−Ｙ方向が開口されている。また、第１導入口１２０ｂは−Ｙ方
向が閉じられて本体１２１１の側面（−Ｘ側）に開口部１２１４が形成される。第１導入
口１２０ｃは、第１導入口１２０ｂと同様に、−Ｙ方向が閉じられて本体１２１１の側面
（＋Ｘ側）に開口部１２１５が形成される。
【００５４】
また、円筒状の本体１２１１の下側の側面にはＹ方向に沿って−Ｚ方向に延出する延出
部１２１６が２つ備えられている。また、本体１２１１の下側の側面には、この２つの延
出部１２１６を繋ぐように、また、延出部１２１６の＋Ｙ方向の端部から一段入った位置
で、Ｘ方向に沿って−Ｚ方向に延出する延出部１２１７を備えている。なお、延出部１２
１７は、延出する先端部に行くに従って＋Ｙ方向に曲折した形状を有している。
【００５５】
また、第１構成部１２１は、本体１２１１の−Ｙ方向の端部からＸ方向に延出し、第２
構成部１２２に固定する際に第２構成部１２２に当接するベース部１２１８を備えている
。なお、第１構成部１２１は、固定軸１２１２を通るＹＺ平面に対して対称形状に構成さ
れている。
【００５６】
開閉部５は、回転部材５０と規制用ネジ５１を備えている。回転部材５０は、板状部材
から形成され、概ね、平面視で、中心軸としての固定軸１２１２と、固定軸１２１２を中
心とする円弧の両端とを結んだ形状に形成されている。なお、回転部材５０の外周部分は
第１導入口１２０ａ，１２０ｂ，１２０ｃの外形と略同様の径となっている。
【００５７】
回転部材５０は、回転中心孔５０ａから規制用ネジ５１を挿通して固定軸１２１２に形
成されるネジ孔１２１２ａにネジ締めすることにより、規制用ネジ５１（固定軸１２１２
）を中心として回転自在に支持される。そして、回転部材５０は、回転中心孔５０ａに対
して重心が偏心しているため、自重により回転し、固定軸１２１２に対して鉛直方向にお
ける下側となるように回転する。また、回転部材５０は、規制用ネジ５１のツバ５１１に
より、固定軸１２１２から脱落しないように規制される。
【００５８】
第２構成部１２２は、第１構成部１２１を内部に収容する。第２構成部１２２は、第１
構成部１２１のベース部１２１８を当接させるために、平面状に形成される当接部１２２
１を備える。なお、当接部１２２１を囲み、第１構成部１２１の本体１２１１の外周面か
ら一定の隙間を確保し、＋Ｙ方向に延出する曲面で形成される壁部１２２２がＸ方向の両
側に形成されている。
【００５９】
第２構成部１２２は、壁部１２２２の下端部から−Ｚ方向に延出する２つの延出部１２
２３を備えている。また、第２構成部１２２は、当接部１２２１から、第１構成部１２１
の本体１２１１の外形状に合わせた径で−Ｙ方向に一段窪み、更に曲面形状を有して形成
される凹部１２２４を備えている。また、第２構成部１２２は、凹部１２２４の下側から
当接部１２２１に傾斜して接続する傾斜部１２２５を備えている。なお、第２構成部１２
２は、第１構成部１２１の固定軸１２１２を通るＹＺ平面に対して対称形状に構成されて
いる。
【００６０】
第３構成部１２３は、図３に示すように、矩形の箱状に形成されている。上部の＋Ｙ側
には、矩形状の第１開口部１２３１が形成され、冷却ファン９から送出された冷却風を流
動させるダクト（図示省略）の端部が、＋Ｙ方向からこの第１開口部１２３１に接続され
る。ダクトを流動した冷却風は、この第１開口部１２３１から流路構成部１２に導入され
る。
【００６１】
第１開口部１２３１の−Ｙ側は、第１構成部１２１の円筒状の本体１２１１の外形と略
同様の径で形成される第２開口部１２３２が形成されている。また、第２開口部１２３２
と第３構成部１２３のＸ方向の外形との間は、塞がれている。第１開口部１２３１の−Ｚ
方向および−Ｙ方向に延出し、Ｚ方向と−Ｙ方向を開口する壁部１２３３が形成される。
【００６２】
図４は、流路構成部１２を示す斜視図であり、図４（ａ）は、開閉部５を設置した第１
構成部１２１を第２構成部１２２に設置した状態の斜視図であり、図４（ｂ）は、更に第
３構成部１２３を第２構成部１２２に設置し、流路構成部１２が完成した状態を示す斜視
図である。
【００６３】
流路構成部１２の組立ては、最初に、図４（ａ）に示すように、第１構成部１２１に回
転部材５０を設置する。次に、第２構成部１２２の当接部１２２１に第１構成部１２１の
ベース部１２１８を当接させることにより、第１構成部１２１を第２構成部１２２に組立
てる。
【００６４】
この組立てにより、第１構成部１２１の延出部１２１６，１２１７の延出側の端部と、
第２構成部１２２の傾斜部１２２５とに囲まれて、第１導入口１２０ａに連通する第１導
出口１２０ｅが構成される。これにより、第１導入口１２０ａから第１導出口１２０ｅに
至る流路Ｆ１が形成される。この流路Ｆ１により、第１導入口１２０ａから導入された冷
却風は、凹部１２２４を流動し、延出部１２１６，１２１７と傾斜部１２２５とに囲まれ
て形成される第１導出口１２０ｅから流出する。
【００６５】
第３構成部１２３は、図４（ｂ）に示すように、第１構成部１２１を設置した第２構成
部１２２に設置されることにより、流路構成部１２が完成する。この組立てにより、−Ｘ
方向において、第１構成部１２１の延出部１２１６と、第２構成部１２２の延出部１２２
３、ベース部１２１８と、第３構成部１２３の壁部１２３３とに囲まれて、第１導入口１
２０ｂに連通する第１導出口１２０ｆが構成される。これにより、第１導入口１２０ｂか
ら第１導出口１２０ｆに至る流路Ｆ２が形成される。この流路Ｆ２により、第１導入口１
２０ｂから導入された冷却風は、開口部１２１４を流動し、本体１２１１と、壁部１２２
２とベース部１２１８と、壁部１２３３とで囲まれて形成される流路を流動し、第１導出
口１２０ｆから流出する。
【００６６】
同様に、＋Ｘ方向において、第１構成部１２１の延出部１２１６と、第２構成部１２２
の延出部１２２３、ベース部１２１８と、第３構成部１２３の壁部１２３３とに囲まれて
、第１導入口１２０ｃに連通する第１導出口１２０ｇが構成される。これにより、第１導
入口１２０ｃから第１導出口１２０ｇに至る流路Ｆ３が形成される。この流路Ｆ３により
、第１導入口１２０ｃから導入された冷却風は、開口部１２１５を流動し、本体１２１１
と、壁部１２２２と、ベース部１２１８と、壁部１２３３とで囲まれて形成される流路を
流動し、第１導出口１２０ｇから流出される。
【００６７】
なお、第１構成部１２１の本体１２１１と延出部１２１６，１２１７との接続部分が、
第３構成部１２３の壁部１２３３で囲まれることにより第２導入口１２０ｄが構成される
。なお、第２導入口１２０ｄは、冷却風が回転部材５０に吹き付ける前側で、中心軸（固
定軸１２１２）に略直交する方向に冷却風が導入されるように形成される。また、第１構
成部１２１の延出部１２１６，１２１７の延出側の先端部分が、第３構成部１２３の壁部
１２３３で囲まれることにより第２導出口１２０ｈが構成される。これにより、第２導入
口１２０ｄから第２導出口１２０ｈに至る流路Ｆ４が形成される。この流路Ｆ４により、
第２導入口１２０ｄから導入された冷却風は、延出部１２１６、１２１７、および壁部１
２３３で囲まれる流路を流動し、第２導出口１２０ｈから流出される。
【００６８】
図５は、光源装置１１を示す斜視図であり、図５（ａ）は、光の射出側から見た斜視図
であり、図５（ｂ）は、上下を逆転させて光の射出側とは反対側から見た斜視図である。
図６は、光源装置ユニット１０を示す図であり、図６（ａ）は、光の射出側から見た正面
図であり、図６（ｂ）は、固定軸１２１２を含むＹＺ平面で切断した断面図である。なお
、図６に示す光源装置ユニット１０は、プロジェクター１の通常設置姿勢用に用いる光源
装置ユニット１０を示しており、回転部材５０を備えている。また、回転部材５０の回転
位置は、プロジェクター１が机上面Ｄに並行（机上面Ｄと投写光軸Ｃ２が平行）となる状
態で設置された場合を示している。
【００６９】
光源装置１１は、図５に示すように、光源１１０と流出口構成部１１１と光源用ケース
１１２とで構成されている。光源１１０は、図６（ｂ）に示すように、発光して光束を射
出する発光管１１０１と、射出された光束を一定の方向（図６（ｂ）では、＋Ｙ方向）に
反射するリフレクター１１０２とを備えている。
【００７０】
流出口構成部１１１は、概箱状に形成されて光源１１０の＋Ｙ側（リフレクター１１０
２の開口側）を収容する。流出口構成部１１１は、中央部に光源１１０から射出された光
束を透過させる開口部１１１１が形成されている。流出口構成部１１１は、導入口構成部
１２０からの冷却風を光源１１０の内部に流出させるための部材である。
【００７１】
流出口構成部１１１は、３つの第１流出口１１１ａ，１１１ｂ，１１１ｃと、１つの第
２流出口１１１ｄが＋Ｚ方向の上面に構成されている。第１流出口１１１ａ，１１１ｂ，
１１１ｃは、Ｘ方向に並んで概矩形状に形成されている。第２流出口１１１ｄは、第１流
出口１１１ａの＋Ｙ方向に構成されている。図５（ｂ）に示すように、流出口構成部１１
１の−Ｚ方向の下面には、光源１１０内部を流動して温まった冷却風が光源装置１１から
外部に送出される排気口１１１２が形成されている。
【００７２】
光源用ケース１１２は、概箱状に形成されて光源１１０（リフレクター１１０２）の背
面側を収容する。光源用ケース１１２は、Ｘ方向の側面に、開口部１１２１が形成されて
、光源１１０の放熱性を向上させている。光源装置１１は、光源１１０を、流出口構成部
１１１と光源用ケース１１２とで挟持し、ネジにより固定することで完成する。
【００７３】
光源装置１１は流路構成部１２に設置する。正確には、流路構成部１２は、後述する光
源カートリッジ２０のカートリッジケース２０１に形成される導入口固定部２０４に設置
される。また、光源装置１１は、同様に、カートリッジケース２０１に形成される光源装
置収容部２０５に設置される。この組み立てにより、光源装置１１と流路構成部１２とが
係合する状態となり、光源装置ユニット１０が構成される。なお、光源装置１１は、カー
トリッジケース２０１（流路構成部１２）に対して着脱自在となる。
【００７４】
流路構成部１２に光源装置１１を設置した場合、図４（ｂ）、図５（ａ）、図６（ｂ）
に示すように、流路構成部１２の第１導出口１２０ｅ（第１導入口１２０ａ）と光源装置
１１の第１流出口１１１ａとが連通する。また、図４（ｂ）、図５（ａ）に示すように、
第１導出口１２０ｆ（第１導入口１２０ｂ）と第１流出口１１１ｂとが連通する。また、
第１導出口１２０ｇ（第１導入口１２０ｃ）と第１流出口１１１ｃとが連通する。また、
図４（ｂ）、図５（ａ）、図６（ｂ）に示すように、第２導出口１２０ｈ（第２導入口１
２０ｄ）と第２流出口１１１ｄとが連通する。
【００７５】
ここで、図６（ａ）に示すように、プロジェクター１が机上面Ｄに並行（机上面Ｄと投
写光軸Ｃ２が平行）となる状態で設置された場合、回転部材５０は、回転部材５０に相対
しない第１導入口１２０ａを開放すると共に、第１導入口１２０ｂ，１２０ｃの上側の一
部も開放する位置に回転する。従って、冷却風は、上述した流路Ｆ１を流動すると共に、
流路Ｆ２，Ｆ３にも冷却風の一部が流動する。また、回転部材５０の前側に設置される流
路Ｆ４にも流動する。
【００７６】
図６（ｂ）を参照して、流路Ｆ１での冷却風の流動を説明する。
第１導入口１２０ａから導入された冷却風は、矢印で示すように、導入口構成部１２０
内部を流動（流路Ｆ１を流動）し、第１導出口１２０ｅから、連通する光源装置１１の第
１流出口１１１ａに導入される。第１流出口１１１ａに導入した冷却風は、第１流出口１
１１ａに形成される流動規制板１１１３に流動方向を規制されて光源１１０内に流出され
る。
【００７７】
流動規制板１１１３に規制された冷却風は、リフレクター１１０２の内面に沿う状態で
流動し、発光管１１０１の発光部１１０１ａを包むように流動する。そして、リフレクタ
ー１１０２の内面を沿う状態で流動し、流出口構成部１１１の排気口１１１２から光源装
置１１の外部に流出する。これにより、発光管１１０１、および発光管１１０１の中でも
最も発熱する発光部１１０１ａの熱を奪って発光管１１０１を冷却する。
【００７８】
次に、流路Ｆ２での冷却風の流動を説明する。
第１導入口１２０ｂから導入された冷却風は、図４、図５に示すように、流路Ｆ２を流
動し、第１導出口１２０ｆから、連通する光源装置１１の第１流出口１１１ｂに導入され
る。第１流出口１１１ｂに導入した冷却風は、発光管１１０１の−Ｘ方向で、流出口構成
部１１１に形成される流出口１１１ｆ（図６（ｂ））を介して光源１１０内に流出される
。
【００７９】
流出口１１１ｆから光源１１０内に流出された冷却風は、リフレクター１１０２の内面
に沿う状態で流動し、発光管１１０１の発光部１１０１ａを包むように流動する。そして
、リフレクター１１０２の内面を沿う状態で流動し、排気口１１１２から光源装置１１の
外部に流出する。これにより、発光管１１０１の側面側の熱を奪って発光管１１０１を冷
却する。
【００８０】
次に、流路Ｆ３での冷却風の流動を説明する。
流路Ｆ３での冷却風の流動は、上述した流路Ｆ２での冷却風の流動に対して、固定軸１
２１２を通るＹＺ平面に対称となる。第１導入口１２０ｃから導入された冷却風は、図４
、図５に示すように、流路Ｆ３を流動し、第１導出口１２０ｇから、連通する光源装置１
１の第１流出口１１１ｃに導入される。第１流出口１１１ｃに導入した冷却風は、発光管
１１０１の＋Ｘ方向で、流出口構成部１１１に形成される流出口１１１ｇ（図６（ｂ））
を介して光源１１０内に流出される。
【００８１】
流出口１１１ｇから光源１１０内に流出された冷却風は、リフレクター１１０２の内面
に沿う状態で流動し、発光管１１０１の発光部１１０１ａを包むように流動し、そして、
リフレクター１１０２の内面を沿う状態で流動して、排気口１１１２から光源装置１１の
外部に流出する。これにより、発光管１１０１の側面側の熱を奪って発光管１１０１を冷
却する。
【００８２】
次に、流路Ｆ４での冷却風の流動を説明する。
第２導入口１２０ｄは、回転部材５０の前側に設置されるため、回転部材５０により閉
塞はされない。第２導入口１２０ｄに導入される冷却風は、回転部材５０に流動する直前
の冷却風が導入される。そして、第２導入口１２０ｄには、固定軸１２１２に対して略直
交するように冷却風が導入する。また、回転部材５０の位置により、回転部材５０で跳ね
返る冷却風が導入される。しかし、回転部材５０で跳ね返る冷却風は、回転部材５０の回
転位置により跳ね返る冷却風の量が異なることで、導入される量が変化する。図６（ａ）
に示すように、回転部材５０は、プロジェクター１が机上面Ｄに並行（机上面Ｄと投写光
軸Ｃ２が平行）となる状態で設置された場合に、回転部材５０で跳ね返る冷却風の量が最
も多くなる。
【００８３】
第２導入口１２０ｄから導入された冷却風は、図６（ｂ）に示すように、流路Ｆ４を流
動し、第２導出口１２０ｈから、連通する光源装置１１の第２流出口１１１ｄに導入され
る。第２流出口１１１ｄに導入した冷却風は、流動規制板１１１３に流動方向を規制され
て光源１１０内に流出される。
【００８４】
流動規制板１１１３に規制された冷却風は、リフレクター１１０２の開口側を下方向（
−Ｚ方向）に流動し、発光管１１０１の先端領域を包むように流動し、排気口１１１２か
ら光源装置１１の外部に流出する。これにより、発光管１１０１の溶接部（金属箔とリー
ド線との接続部分）で発熱する熱を奪うことにより、溶接部を冷却する。
【００８５】
図７は、流路構成部１２を示す斜視図であり、図７（ａ）は、プロジェクター１が通常
設置姿勢で設置され、傾斜角度が約９０°に設置された場合の流路構成部１２を示す斜視
図であり、図７（ｂ）は、プロジェクター１が側面設置姿勢で設置される場合に用いられ
る流路構成部１２を示す斜視図である。なお、図７（ａ）の流路構成部１２は、説明の便
宜上、通常設置姿勢用の光源カートリッジ２０で、右用の光源カートリッジ２０ｂに用い
る光源装置ユニット１０に備える流路構成部１２を取り上げている。
【００８６】
図６では、プロジェクター１が通常設置姿勢で設置され、傾斜角度（投写光軸Ｃ２と机
上面Ｄとの角度）が０°の場合を例として示している。そのプロジェクター１を通常設置
姿勢で傾斜角度を０°から９０°に変化させた場合、図７（ａ）に示すように、回転部材
５０は、傾斜角度の変化に従動して、自重により略９０°回転する。
【００８７】
この状態で回転部材５０は、回転部材５０に相対する第１導入口１２０ｃの全領域を閉
塞する。また、回転部材５０は、回転部材５０に相対しない、第１導入口１２０ａ，１２
０ｂの領域を開放する状態となる。これにより、第１開口部１２３１から流入した冷却風
は、第１導入口１２０ａ，１２０ｂの開放された領域から導入される。そして、第１導入
口１２０ａ，１２０ｂに導入された冷却風は、流路Ｆ１，Ｆ２を流動し、上述したように
光源１１０内部を流動して発光管１１０１を冷却する。
【００８８】
図７（ｂ）に示すように、本実施形態では、流路構成部１２が、開閉部５（回転部材５
０等）を備えず、導入口構成部１２０のみで構成されるものも用いられる。開閉部５を備
えない流路構成部１２は、側面設置姿勢用の光源カートリッジ２１（左用の光源カートリ
ッジ２１ａ，右用の光源カートリッジ２１ｂ共）に設置する光源装置ユニット１０に用い
られる。このような開閉部５を備えない流路構成部１２で構成される光源装置ユニット１
０では、第１開口部１２３１から流入した冷却風は、常に、第１導入口１２０ａ，１２０
ｂ，１２０ｃの開口面積に対応した風量が各第１導入口１２０ａ，１２０ｂ，１２０ｃか
ら導入される。また、第２導入口１２０ｄにも適度な風量の冷却風が導入される。
【００８９】
開閉部５を備えない理由として、側面設置姿勢用の光源カートリッジ２１は、通常設置
姿勢時の光軸Ｃ１を中心として略９０°回転させた姿勢で使用するため、左用の光源カー
トリッジ２１ａは下側（−Ｚ側）となり、右用の光源カートリッジ２１ｂは上側（＋Ｚ側
）となる。そのため、通常設置姿勢時の光源１１０の冷却に比べて、側面設置姿勢時では
冷却効率が落ちるため、開閉部５を用いずに、風量を略最大にして流入させる必要がある
ためである。
【００９０】
図８は、光源カートリッジ２０を示す斜視図であり、図８（ａ）は、光源装置１１を取
り外した斜視図であり、図８（ｂ）は、光源装置１１を設置した斜視図であり、図８（ｃ
）は、光源カートリッジ２０を光の射出方向から見た斜視図である。なお、説明の便宜上
、図８では、通常設置姿勢用の光源カートリッジ２０で、左用の光源カートリッジ２０ａ
を用いて説明する。
【００９１】
通常設置姿勢用の光源カートリッジ２０ａは、左用のカートリッジケース２０１ａを備
えている。このカートリッジケース２０１ａには、光源装置ユニット１０を構成する光源
装置１１と、流路構成部１２とが、それぞれ設置される。なお、流路構成部１２には、回
転部材５０が設置されている。
【００９２】
矩形状の概箱形状を有するカートリッジケース２０１ａには、スリット状の孔２０２１
が複数形成された放熱板２０２が−Ｘ側の側面に設置されている、また、放熱板２０２の
端部には、光源カートリッジ２０ａを外装筐体１Ａ内部の所定の場所に着脱する際に把持
するハンドル２０３が設置されている。また、本実施形態の光源カートリッジ２０ａは、
光源装置ユニット１０（光源装置１１、および光源装置に対応する流路構成部１２）を２
つ備える構造となる。
【００９３】
なお、光源カートリッジ２０ａをプロジェクター１に装着する際には、図１に示すカバ
ー部材１Ｂを取り外し、光源カートリッジ２０ａのハンドル２０３を把持し、外装筐体１
Ａ内部に挿入する。本実施形態では、左用の光源カートリッジ２０ａを外装筐体１Ａの内
部に備える左側設置用のカートリッジ収容部（図示省略）に沿って内部にスライドするこ
とで装着することができる。装着することにより、光源装置１１と電気的に導通させるコ
ネクター同士が接続された状態となる。なお、右側には、右側設置用のカートリッジ収容
部（図示省略）が備えられ、右用の光源カートリッジ２０ｂを同様に装着する。
【００９４】
カートリッジケース２０１ａの矩形の本体２０１１には、図８（ｃ）に示すように、矩
形の導入口２０１２が２つ形成されており、本体２０１１に流路構成部１２が設置される
ことにより、この導入口２０１２に第１開口部１２３１がそれぞれ密着する。また、導入
口２０１２は、光源カートリッジ２０ａをプロジェクター１に装着した場合、冷却ファン
９に連通するダクト（図示省略）の先端部に密着する。詳細には、冷却ファン９およびダ
クトは、外装筐体１Ａ内部に固定されて設置されており、光源カートリッジ２０ａをスラ
イドして装着した際に、ダクトの先端部に導入口２０１２が密着した状態となる。これに
より、冷却ファン９から送出した冷却風は、ダクトを流動し、導入口２０１２を介して、
第１開口部１２３１に導入される。
【００９５】
また、カートリッジケース２０１ａの本体２０１１には、導入口２０１２の下方向（−
Ｚ方向）に円形の開口部２０１３がそれぞれ形成されており、本体２０１１に光源装置１
１が設置されることにより、この開口部２０１３に、光源装置１１の開口部１１１１がそ
れぞれ相対して設置される。これにより、光源装置１１から射出された光束は開口部２０
１３を介して＋Ｙ方向に射出される。
【００９６】
本体２０１１には、図８（ａ）に示すように、−Ｙ側に流路構成部１２（導入口構成部
１２０）を固定する導入口固定部２０４が形成されている。導入口固定部２０４は、複数
の固定用ダボ等により構成されており、固定用ダボに流路構成部１２を案内して設置し、
ネジ固定することにより、流路構成部１２が導入口固定部２０４に固定される。
【００９７】
また、本体２０１１には、図８（ａ）に示すように、−Ｙ側に光源装置１１を着脱自在
に収容する光源装置収容部２０５が形成されている。光源装置収容部２０５は、複数の固
定用ダボ等により構成されており、固定用ダボに光源装置１１を案内して設置し、ネジ固
定することにより、光源装置１１が光源装置収容部２０５に固定される。なお、光源装置
１１を交換する際には、固定したネジを取り外して、光源装置収容部２０５から光源装置
１１を取り外す。そして新たな光源装置１１を光源装置収容部２０５に固定する。
【００９８】
ここまで、通常設置姿勢用の光源カートリッジ２０に備える左用の光源カートリッジ２
０ａを例として説明した。なお、右用の光源カートリッジ２０ｂを構成する部材は、左用
の光源カートリッジ２０ａと同様に構成されている。ただし、光軸Ｃ１を通る鉛直面（Ｘ
Ｚ面）に対して対称となるように構成されている。また、側面設置姿勢用の光源カートリ
ッジ２１も、通常設置姿勢用の光源カートリッジ２０と同様に、左用の光源カートリッジ
２１ａと、右用の光源カートリッジ２１ｂとで構成される。また、左右の光源カートリッ
ジ２１ａ，２１ｂを構成する部材も、左右の光源カートリッジ２０ａ，２０ｂに対応して
同様に構成されている。なお、通常設置姿勢用の光源カートリッジ２０と側面設置姿勢用
の光源カートリッジ２１との違いは、上述したように、開閉部５を有する流路構成部１２
（光源装置ユニット１０）を用いるのが通常設置姿勢用の光源カートリッジ２０であり、
開閉部５を有さない流路構成部１２（光源装置ユニット１０）を用いるのが側面設置姿勢
用の光源カートリッジ２１である。
【００９９】
なお、開閉部５を備える光源装置ユニット１０が第１光源装置ユニットに対応し、開閉
部５を備えない光源装置ユニット１０が第２光源装置ユニットに対応する。また、第１光
源装置ユニットを備える光源カートリッジが本実施形態では上述したように通常設置姿勢
用の光源カートリッジ２０（第１光源カートリッジ）に対応し、第２光源装置ユニットを
備える光源カートリッジが本実施形態では上述したように側面設置姿勢用の光源カートリ
ッジ２１（第２光源カートリッジ）に対応する。
【０１００】
図９は、開閉部５を構成する回転部材５０の他の例を示す図である。なお、図９は、回
転部材５０の他の例として回転部材５０Ａを示す図であり、図９（ａ）は回転部材５０Ａ
の斜視図であり、図９（ｂ）は回転部材５０Ａを回転部材５０Ａに対応させた流路構成部
１２に設置した断面図である。
【０１０１】
開閉部５を構成する回転部材５０において、図６に示すように、回転部材５０の冷却風
が当たる面５０ｂの形状は、固定軸１２１２に対して略直交する形状となっている。この
ような回転部材５０の他に、本実施形態では、図９に示す面５０ｃの形状を有する回転部
材（これを回転部材５０Ａとする）を用いることでもよい。
【０１０２】
詳細には、回転部材５０Ａは、図９（ａ）に示すように、回転中心孔５０ａ（固定軸１
２１２）を中心に円錐状に拡がる形状を備えている。詳細には、回転中心孔５０ａを中心
に、＋Ｙ方向に円錐状に拡がっている。なお、回転部材５０Ａの平面形状は、上述した回
転部材５０の形状と略同様としている。この形状により、回転部材５０Ａの冷却風が当た
る面５０ｃの形状は、図９（ｂ）に示すように、固定軸１２１２に対して傾斜する（斜め
に交わる）形状となっている。また、第１導入口１２０ａ，１２０ｂ，１２０ｃを仕切っ
ている壁部１２１３の形状は、回転部材５０Ａを回転可能とさせるために、回転部材５０
Ａの円錐状の外面に合わせて、新たに壁部１２１３Ａを形成している。このように形成さ
れる回転部材５０Ａは、回転部材５０と同様に、自重により回転し、固定軸１２１２に対
して鉛直方向における下側となるように回転する。
【０１０３】
上述した実施形態によれば、以下の効果が得られる。
本実施形態の光源装置ユニット１０によれば、光源装置ユニット１０は、光源装置１１
と流路構成部１２を備えて構成される。光源装置１１は、発光管１１０１とリフレクター
１１０２を有する光源１１０と、光源１１０を収容し、第１流出口１１１ａ〜１１１ｃを
有する流出口構成部１１１を備えている。流路構成部１２は第１導入口１２０ａ〜１２０
ｃを備える導入口構成部１２０と、第１導入口１２０ａ〜１２０ｃを選択的に開閉する開
閉部５を備えている。この構成により、冷却風は、開閉部５により開放された第１導入口
１２０ａ〜１２０ｃから導入され、第１導入口１２０ａ〜１２０ｃに連通する第１流出口
１１１ａ〜１１１ｃから発光管１１０１に向けて流出される。これにより、冷却風を発光
管１１０１に送風することができる。また、開閉部５は、光源装置１１の姿勢に対応して
、固定軸１２１２を中心に回転することで、冷却風を導入する第１導入口１２０ａ〜１２
０ｃを選択（開放）するため、光源装置１１の姿勢に対応して開放される第１導入口１２
０ａ〜１２０ｃに冷却風を導入させ、第１流出口１１１ａ〜１１１ｃから流出させること
ができる。従って、この光源装置ユニット１０により、光源装置１１の姿勢に対応させて
流路構成部１２の流路（第１導入口１２０ａ〜１２０ｃ）を切り替えることが可能となり
、光源装置１１の姿勢に対応させて適切な冷却を行うことができる。
【０１０４】
本実施形態の光源装置ユニット１０によれば、回転部材５０，５０Ａは、自重によって
回転することにより３つの第１導入口１２０ａ，１２０ｂ，１２０ｃを選択的に開閉する
。この構成により、回転部材を駆動する駆動部や、その駆動部を制御する制御部等を備え
る必要がなく、簡素な構造で第１導入口１２０ａ，１２０ｂ，１２０ｃを選択的に開閉す
ることが可能となる。
【０１０５】
本実施形態の光源装置ユニット１０によれば、回転部材５０は、概ね、平面視で、固定
軸１２１２と、固定軸１２１２を中心とする円弧の両端とを結んだ形状に形成される。そ
して、回転部材５０が回転した場合、回転部材５０に相対する第１導入口１２０ａ，１２
０ｂ，１２０ｃは閉塞され、回転部材５０に相対しない第１導入口１２０ａ，１２０ｂ，
１２０ｃは開口される。これにより、３つの第１導入口１２０ａ，１２０ｂ，１２０ｃを
選択的に開閉する構造を容易に構成することができる。
【０１０６】
本実施形態の光源装置ユニット１０によれば、流路構成部１２は、冷却ファン９からの
冷却風流路において、回転部材５０の後段側に設置される第１導入口１２０ａ，１２０ｂ
，１２０ｃに対して、回転部材５０の前段側で、固定軸１２１２に略直交する方向に冷却
風が導入される第２導入口１２０ｄを備えている。そして、光源装置１１の流出口構成部
１１１には、第２導入口１２０ｄと連通する第２流出口１１１ｄが備えられている。回転
部材５０の前段側に備えるこの第２導入口１２０ｄにより、プロジェクター１の設置姿勢
に係わらず、後段側に備える第１導入口１２０ａ，１２０ｂ，１２０ｃからでは冷却風を
流動させにくい、発光管１１０１の前側の溶接部などに冷却風を流動させやすくすること
ができる。また、この前段側の第２導入口１２０ｄは、固定軸１２１２に略直交する方向
に冷却風を導入する第２導入口１２０ｄを備えているため、例えば、固定軸１２１２に略
平行に冷却風を導入する導入口を備える構造に比べて、回転部材５０周辺の平面視での面
積を小さくすることができ、回転部材５０周辺を小型化することができる。
【０１０７】
本実施形態の光源装置ユニット１０によれば、回転部材５０の冷却風が当たる面５０ｂ
の形状は、固定軸１２１２に対して直交する形状を有している。また、回転部材５０Ａの
冷却風が当たる面５０ｃの形状は、固定軸１２１２に対して傾斜する形状を有している。
これにより、回転部材５０，５０Ａは、回転部材５０，５０Ａの冷却風流路後段側の第１
導入口１２０ａ，１２０ｂ，１２０ｃに対して選択的に導入口を開閉すること以外に、開
放される第１導入口１２０ａ，１２０ｂ，１２０ｃに導入させる冷却風の量を調整するこ
とが可能となる。これは、回転部材５０，５０Ａの前側に設置される第２導入口１２０ｄ
に対しても同様となる。この構成により、光源装置１１の姿勢に対応させて、更に適切な
冷却、効率的な冷却を行うことが可能となる。
【０１０８】
本実施形態の光源カートリッジ２０によれば、光源カートリッジ２０は、光源装置ユニ
ット１０とカートリッジケース２０１とを備えて構成される。また、カートリッジケース
２０１の光源装置収容部２０５に、光源装置１１を着脱自在に収容する。また、カートリ
ッジケース２０１の導入口固定部２０４に導入口構成部１２０を固定する。そして、光源
装置１１を光源装置収容部２０５に装着した場合、第１流出口１１１ａ〜１１１ｃ、第２
流出口１１１ｄに、第１導入口１２０ａ〜１２０ｃ、第２導入口１２０ｄをそれぞれ連通
させる。このため、例えば、光源装置１１を交換する場合、古い光源装置１１を取り外し
て、新しい光源装置１１を装着するだけで、光源装置１１の第１流出口１１１ａ〜１１１
ｃ、第２流出口１１１ｄを、カートリッジケース２０１に固定されている導入口構成部１
２０の第１導入口１２０ａ〜１２０ｃ、第２導入口１２０ｄに簡単に連通させることがで
きる。従って、光源カートリッジ２０における光源装置１１の交換を容易に行うことがで
きる。また、導入口構成部１２０と、光源装置１１とが別体となっているため、光源装置
１１と同時に導入口構成部１２０を交換する必要がなく、交換部品のコストを低減するこ
とができる。
【０１０９】
本実施形態の光源カートリッジ２０によれば、２つの光源装置１１が装着されることで
、高輝度の光源とすることができる。また、光源装置１１の交換の際に、２つの光源装置
１１が装着される光源カートリッジ２０をプロジェクター１から取り外した後、個々の光
源装置１１を交換することができるため、２つの光源装置ユニット１０がプロジェクター
１にそれぞれ装着される場合に比べて、光源としての取り扱いが容易になる。
また、２つの光源装置１１に対応してそれぞれ導入口構成部１２０が設置されることに
より、光源装置１１を交換することだけで導入口構成部１２０と接続させることができる
ため、第１導入口１２０ａ〜１２０ｃ、第２導入口１２０ｄと、第１流出口１１１ａ〜１
１１ｃ、第２流出口１１１ｄとを連通させることが必要なく、光源装置１１の交換性を向
上させる。
また、２つの光源装置１１に対応してそれぞれ導入口構成部１２０が設置されることに
より、光源装置１１の姿勢（光源カートリッジ２０の姿勢）に対応させて、光源装置１１
の冷却をそれぞれ適正に行うことができる。
【０１１０】
本実施形態の光源カートリッジ２１によれば、開閉部５を有さずに構成される流路構成
部１２を備えている。このような光源カートリッジ２１によれば、開閉部５を有さないた
め、第１導入口１２０ａ，１２０ｂ，１２０ｃを選択的に開閉することなく冷却風を第１
導入口１２０ａ，１２０ｂ，１２０ｃに導入することができることで、光源装置１１が側
面設置姿勢用に用いられる場合に対応させることが可能となり、光源装置１１の冷却を適
正に行うことができる。
【０１１１】
本実施形態の光源カートリッジ２０，２１によれば、通常設置姿勢用の光源カートリッ
ジ２０と、側面設置姿勢用の光源カートリッジ２１とは、開閉部５の有無による違いとな
る。そして、光源装置１１は設置姿勢に関係なく共通の構成となっている。そして、開閉
部５を含む流路構成部１２と、光源装置１１とは別々にカートリッジケース（例えば、カ
ートリッジケース２０１）に固定される構成となっている。従って、プロジェクター１の
設置姿勢に対応させて、光源カートリッジ２０，２１を使い分けなければならないが、光
源装置１１の交換に関しては、設置姿勢に関係なく全て共通の光源装置１１を用いて行う
ことができる。これにより、通常設置姿勢と側面設置姿勢との異なる設置姿勢で用いられ
るプロジェクター１における光源装置１１の交換性を向上させることができる。
【０１１２】
本実施形態のプロジェクター１によれば、プロジェクター１の設置姿勢に対応して光源
装置１１を適正に冷却できる光源カートリッジ２０を備えるため、プロジェクター１の設
置姿勢による光源装置１１の寿命を延ばし、光学特性も保持することができる。また、光
源カートリッジ２０をプロジェクター１から取り外すことで、光源装置１１の着脱も容易
に行える。
【０１１３】
本実施形態のプロジェクター１によれば、通常設置姿勢用の光源カートリッジ２０は、
開閉部５を有する流路構成部１２を備えた光源装置ユニット１０で構成され、側面設置姿
勢用の光源カートリッジ２１は、開閉部５を有さない流路構成部１２を備えた光源装置ユ
ニット１０で構成される。そして、プロジェクター１の設置姿勢に対応させて、この２種
類の光源カートリッジ２０，２１を使い分ける。このように、開閉部５の有無の違いによ
る２種類の光源カートリッジ２０，２１を備えることにより、プロジェクター１の設置姿
勢に対応させることができ、光源装置１１を適正に冷却することができる。また、このよ
うな光源カートリッジ２０，２１により、２つの光源装置１１を１つの光源カートリッジ
２０（光源カートリッジ２１）に設置して用いることができる。従って、プロジェクター
１の高輝度化と設置姿勢の自由度向上を図ることができる。
【０１１４】
なお、上述した実施形態に限定されず、その要旨を逸脱しない範囲において種々の変更
や改良等を加えて実施することが可能である。変形例を以下に述べる。
【０１１５】
前記実施形態のプロジェクター１は、通常設置姿勢として、机上面設置姿勢を基準とし
て実施しているが、これに限られず、天吊り設置姿勢で実施してもよい。
【０１１６】
前記実施形態のプロジェクター１では、プロジェクター１が通常設置姿勢（机上面設置
姿勢）で設置され、傾斜角度が０°（投写光軸Ｃ２が水平（机上面Ｄに並行））の場合と
、傾斜角度が９０°の場合における回転部材５０の位置を示して説明している。しかし、
プロジェクター１は傾斜角度として、上方向、下方向でそれぞれ１８０°、言い換えると
、傾斜角度が３６０°の範囲で設置および投写可能であり、設置される傾斜角度に対応し
て、回転部材５０は自重により回転して、第１導入口１２０ａ，１２０ｂ，１２０ｃの開
口状態を調整することができる。
【０１１７】
前記実施形態のプロジェクター１において、光源カートリッジ２０，２１は、１つの光
源カートリッジに２つの光源装置１１（光源装置ユニット１０）を備えて構成されている
。しかし、１つの光源カートリッジに３つ以上の光源装置１１（光源装置ユニット１０）
を備えて構成されていてもよい。
【０１１８】
前記実施形態の光源装置ユニット１０において、回転部材５０に選択的に開閉される導
入口は、３つの導入口である。しかし、これに限られず、回転部材５０に選択的に開閉さ
れる導入口は２つでもよいし、４つ以上であってもよい。また、この導入口に対応して連
通する流出口を備えることでよい。
【０１１９】
前記実施形態の流路構成部１２において、開閉部５を構成する回転部材５０Ａは、回転
中心孔５０ａを中心に、＋Ｙ方向に円錐状に拡がり、面５０ｃの形状は、固定軸１２１２
に対して傾斜する（斜めに交わる）形状となっている。しかし、これに限らず、回転中心
孔５０ａを中心に、回転部材５０Ａとは逆に−Ｙ方向に円錐状に拡がり、面の形状は、固
定軸１２１２に対して傾斜する（斜めに交わる）形状となるように形成される回転部材で
あってもよい。このように形成することで、導入口へ導入する冷却風の風量を調整するこ
とができ、冷却したい箇所に対応する導入口に優先的に冷却風を導入することができる。
このような回転部材においては、回転部材の前側に設置される第２導入口１２０ｄに積極
的に冷却風を導入することができ、発光管１１０１の溶接部を効率的に冷却することがで
きる。
【０１２０】
前記実施形態の流路構成部１２において、開閉部５を構成する回転部材５０および回転
部材５０Ａは、板状部材から成形され、略均一な厚さとなっている。しかし、これに限ら
ず、回転中心孔５０ａから離れるにしたがって、厚さが大きくなるようにしてもよい。こ
のように形成することにより、回転モーメントを大きくすることができ、回転部材５０ま
たは回転部材５０Ａは、プロジェクター１の設置姿勢に応じて円滑に回転することができ
る。
【０１２１】
前記実施形態の流路構成部１２において、開閉部５を構成する回転部材５０は、回転部
材５０の冷却風が当たる面５０ｂが、固定軸１２１２に対して直交する形状となっている
。また、回転部材５０Ａは、回転中心孔５０ａを中心に、＋Ｙ方向に円錐状に拡がり、回
転部材５０Ａの冷却風が当たる面５０ｃが、固定軸１２１２に対して傾斜する（斜めに交
わる）形状となっている。しかし、これに限らず、固定軸１２１２に対して直交する形状
と傾斜する（斜めに交わる）形状とを組み合わせた形状となっていてもよい。
【０１２２】
前記実施形態のプロジェクター１において、光変調装置は、透過型の光変調装置（透過
型の液晶パネル３５１）を用いている。しかし、これに限られず、反射型の光変調装置を
用いてもよい。
【０１２３】
前記実施形態のプロジェクター１において、光変調装置として液晶パネル３５１を用い
ている。しかし、これに限られず、一般に、入射光束を画像信号に基づいて変調するもの
であればよく、例えば、マイクロミラー型の光変調装置等、他の方式の光変調装置を採用
することができる。なお、マイクロミラー型の光変調装置としては、例えば、ＤＭＤ（Di
gital Micromirror Device）を採用することができる。
【０１２４】
前記実施形態のプロジェクター１において、光学ユニット３は、光源装置１１から射出
された光（光束）の照度を均一化するためにレンズインテグレーター光学系を用いている
。しかし、これに限られず、導光ロッドからなるロッドインテグレーター光学系も用いる
ことができる。
【符号の説明】
【０１２５】
１…プロジェクター、５…開閉部、９…冷却ファン、１０…光源装置ユニット、１１…
光源装置、１２…流路構成部、２０，２０ａ，２０ｂ…光源カートリッジ（通常設置姿勢
用、第１光源カートリッジ）、２１，２１ａ，２１ｂ…光源カートリッジ（側面設置姿勢
用、第２光源カートリッジ）、３６…投写光学装置、５０，５０Ａ…回転部材、５０ｂ，
５０ｃ…面（冷却風が当たる面）、１１０…光源、１１１…流出口構成部、１１１ａ，１
１１ｂ，１１１ｃ…第１流出口、１１１ｄ…第２流出口、１１２…光源用ケース、１２０
…導入口構成部、１２０ａ，１２０ｂ，１２０ｃ…第１導入口、１２０ｄ…第２導入口、
２０１（２０１ａ，２０１ｂ）…カートリッジケース（通常設置姿勢用）、２０４…導入
口固定部、２０５…光源装置収容部、３５１…液晶パネル（光変調装置）、１１０１…発
光管、１１０２…リフレクター、１２１２…固定軸（中心軸）。
【図１】
2017003800.tif 000003
【図２】
2017003800.tif 000004
【図３】
2017003800.tif 000005
【図４】
2017003800.tif 000006
【図５】
2017003800.tif 000007
【図６】
2017003800.tif 000008
【図７】
2017003800.tif 000009
【図８】
2017003800.tif 000010
【図９】
2017003800.tif 000011